【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
入力シャフトと、
前記入力シャフトから間隔を置いて配置された副シャフトと、
前記入力シャフトを前記副シャフトに接続する第１ギヤトレインと、
ワンウェイクラッチを含んでおり、前記副シャフトを出力シャフトに接続する第２ギヤトレインと、
前記入力シャフトを前記出力シャフトに係合させるための第１クラッチであって、その構成が、前記出力シャフトが前記入力シャフトの前進駆動力から係合解除されると前進駆動力が前記第１および第２ギヤトレインおよび前記副シャフトを介して前記出力シャフトへ伝達されるようなものである前記第１クラッチと、
前記第１クラッチにより後退駆動力が前記入力シャフトから前記出力シャフトに伝えられるよう、前記第１ギヤトレインから前記副シャフトを選択的に係合解除するための第２クラッチと
を含む２速度変速装置。
【請求項２】
前記第２クラッチがドッグクラッチである、請求項１に記載の２速度変速装置。
【請求項３】
前記第１クラッチが係合解除されると動力が前記入力シャフトから前記ギヤトレインおよび前記副シャフトを介し、前記ワンウェイクラッチを介して前記出力シャフトへ伝達され、第１ギヤを提供するように構成されており、
前記クラッチが係合されると動力が前記入力シャフトから前記出力シャフトへ直接伝達されて比較的高速の第２ギヤを提供する、請求項１または２に記載の２速度変速装置。
【請求項４】
前記第１クラッチの滑りを制御するために設けられた制御システムをさらに含む、請求項１〜３のいずれか１項に記載の２速度変速装置。
【請求項５】
前記入力シャフトの速度と前記出力プロペラの速度との両方を監視するための手段をさらに含んでおり、前記制御システムが、前記第１クラッチの滑り速度をその滑り速度を制御する入力値として出力速度を使用することで制御し、任意の速度およびトルクで前記第１クラッチの制御された滑りを可能とするように構成されている、請求項４に記載の２速度変速装置。
【請求項６】
海洋用船舶のための２速度変速装置システムであって
入力シャフトと、
出力シャフトと、
前記入力シャフトを前記出力シャフトに接続して第１前進ギヤにおける前記出力シャフトを駆動するための第１ギヤトレインと、
前記入力シャフトを前記出力シャフトに接続して第２前進ギヤにおける前記出力シャフトを駆動するための第２ギヤトレインと、
前記第１ギヤと前記第２ギヤとを選択する摩擦クラッチと、
前記第２ギヤが選択された場合に前記第１ギヤトレインをオーバーランさせるワンウェイクラッチと、
前記入力シャフトから前記出力シャフトに後退駆動力が伝達されるように前記ワンウェイクラットを係合解除する手段と
を備える２速度変速装置システム。
【手続補正２】
【補正対象書類名】明細書
【補正対象項目名】全文
【補正方法】変更
【補正の内容】
【発明の詳細な説明】
【発明の名称】変速装置
【発明の分野】
【０００１】
本発明は変速装置に関するものであり、さらに詳しくは、本発明は、特に海洋用途における使用に適している自動手動型変速装置に関するものである。
【関連出願への相互参照】
【０００２】
本発明は、オーストラリア仮出願第２００３９０３７８８号からの、さらにまた米国仮出願第６０／５０７００５号からの優先権を主張するものである。両方の文書の全内容は参照として組み入れられている。優先権はまた、同一の出願人／譲受人により提出された関連仮出願であるオーストラリア仮出願第２００４９０１１６７号からも主張される。この全内容もまた参照として組み入れられている。
【発明の背景】
【０００３】
船舶における現行の大部分の海洋用駆動装置にあっては、海洋用エンジンが、単一ギヤ比を提供するギヤボックスを介してプロペラに連結されている。船舶の速度は、スロットルを介してエンジン速度を制御することによって制御される。一般的に言えば、船舶は、それらがそれらの所期巡航速度で最も効率的に動くようにギヤが噛み合わされている。大きいヨットは、３５〜４０ノットで巡航するように設計することができ、したがって、その速度であるいはその速度前後で最も効率的かつ制御可能であるようにギヤが噛み合わされている。しかしながら、この構成に伴う問題は、そのような船舶を、例えば船舶をドックに入れるときに必要である低い速度で作動させることが極めて難しいということである。例えば、船が満足のいくように進む最低速度が１０ノット前後であるときには、船を安全にドックに入れることは極めて難しい。いくつかの場合には、高速作動のためのより高いギヤ比とともに、増大したトルクが必要である用途のための低いギヤ比を有することもまた望ましい。
【０００４】
いくつかの多段速度駆動変速装置が船舶のために提案されてきたが、それらにはいくつかの問題が含まれている。例えば、米国特許第６，３５０，１６５号には、２つの前進速度に加え１つの後退速度の変速装置を組み入れている船舶が開示されている。この変速装置は、遊星ギヤ器具に基づいており、その結果、コストが比較的高い。この変速装置には、ギヤの噛み合いが構成されている方式のせいでさらに別の問題があり、すべてのギヤホイールを変更しなければならないため、ギヤ比を簡単に変えることはできない。したがって、相異なる用途、エンジン寸法などに適する遊星ギヤ噛み合いシステムをまとめるとともに適合させることは、いっそう困難である。
【０００５】
本発明の目的は、従来技術の諸問題の少なくともいくつかを扱うかあるいは軽減することにある。
【０００６】
この明細書に含まれた、文書、作用、材料、装置、物品などについてのどのような検討も、本発明についての状況を提供する目的のためだけのものである。それは、これらの事柄のうちのどれかあるいはすべてが、従来技術の基礎の一部を形成するか、あるいはそれがこの出願のそれぞれの請求項の優先日以前に存在したように本発明に関連した分野における一般常識であるということの承認と受け止めるべきではない。
【発明の概要】
【０００７】
本発明の第１の態様によれば、
入力シャフトと、
前記入力シャフトから間隔を置いて配置された副シャフトと、
前記入力シャフトを前記副シャフトに接続する第１ギヤトレインと、
ワンウェイクラッチを含んでおり、前記副シャフトを出力シャフトに接続する第２ギヤトレインと、
前記入力シャフトを前記出力シャフトに係合させるための第１クラッチであって、その構成が、前記出力シャフトが前記入力シャフトの前進駆動力から係合解除されると前進駆動力が前記第１および第２ギヤトレインおよび前記副シャフトを介して前記出力シャフトへ伝達されるようなものである前記第１クラッチと、
前記第１クラッチにより後退駆動力が前記入力シャフトから前記出力シャフトに伝えられるよう、前記第１ギヤトレインから前記副シャフトを選択的に係合解除するための第２クラッチと
を含む２速度変速装置が提供される。
また、本発明の第２の態様によれば、
海洋用船舶のための２速度変速装置システムであって
入力シャフトと、
出力シャフトと、
前記入力シャフトを前記出力シャフトに接続して第１前進ギヤにおける前記出力シャフトを駆動するための第１ギヤトレインと、
前記入力シャフトを前記出力シャフトに接続して第２前進ギヤにおける前記出力シャフトを駆動するための第２ギヤトレインと、
前記第１ギヤと前記第２ギヤとを選択する摩擦クラッチと、
前記第２ギヤが選択された場合に前記第１ギヤトレインをオーバーランさせるワンウェイクラッチと、
前記入力シャフトから前記出力シャフトに後退駆動力が伝達されるように前記ワンウェイクラットを係合解除する手段と
を備える２速度変速装置システムが提供される。
更に、海洋用船舶のためのコンパクトな２速度変速装置システムは、
入力シャフトと、
出力シャフトと、
入力シャフトを出力シャフトに接続して第１ギヤにおける前記出力シャフトを駆動するための第１ギヤトレインと、
入力シャフトを出力シャフトに接続して第２ギヤにおける出力シャフトを駆動するための第２ギヤトレインと、
入力シャフトを出力シャフトに１対１以外のギヤ比で接続するための単一クラッチ手段と、
を備える。
【０００８】
出力シャフトおよび入力シャフトは、平行であってもよく、また第１および第２ギヤに対するギヤトレインによって連結される。
【０００９】
また、２速度変速装置は、
入力シャフトと、
入力シャフトから間隔を置いて配置された副シャフトと、
入力シャフトを副シャフトに接続する第１ギヤトレインと、
ワンウェイクラッチを含んでおり、副シャフトを出力シャフトに接続する第２ギヤトレインと、
入力シャフトを出力シャフトに係合させるためのクラッチであって、その構成は出力シャフトが入力シャフトから係合解除されると動力が第１および第２ギヤトレインおよび副シャフトを介して出力シャフトへ伝達されるようなものであるクラッチと、
を含む。
【００１０】
副シャフトを逆に係合解除するためにはドッグクラッチが好ましく設けられる。
【００１１】
クラッチが係合解除されると、動力は、入力シャフトからギヤトレインおよび副シャフトを介しワンウェイクラッチを介して出力シャフトへ伝達されるが、その出力シャフトは典型的には、第１ギヤあるいは、低速操作においてあるいはより大きいトルクが必要であるときに使用するための低速ギヤを提供する。クラッチが係合されると、動力は、入力シャフトから出力シャフトへ直接伝達されて、船舶が巡航するときのための第２ギヤを提供する。
【００１２】
この伝達装置システムの例は、極めてコンパクトであるという利点と、単一の摩擦クラッチだけでよいという利点がある。従って、２つ以上の摩擦クラッチが組み入れられている変速装置システムに比べて減少した抗力が提供される。ワンウェイクラッチにより、このシステムが呼称した場合であっても、前進駆動力は変速装置を介して２つの速度の少なくとも一方で伝えられ、このシステムが船のオーナーはその船を自宅へ送り届けることができる「低速帰還」機能を有するという利点がある。
【００１３】
例示的な変速装置システムにおいては、出力シャフトを逆に動かすための、ワンウェイクラッチを係合解除するための手段は、機械的に、油圧的にまたは電気機械的に作動させることができる。
【００１４】
典型的には、摩擦クラッチの滑りを制御するための制御システムが設けられている。クラッチの滑り速度は、入力シャフトの速度および出力プロペラの速度の両方を監視することによって制御することができる。出力速度は、滑り速度を制御してクラッチの滑りを任意の速度およびトルクにするために、入力値として使用することができる。
【００１５】
本発明の特定の例が、例示としてだけ、かつ、添付図面を参照して、これから説明される。
【詳細な説明】
【００１６】
図面を参照すれば、図１は船体１２を有する船舶１０の船尾を示している。単一摩擦クラッチ自動手動型変速装置１８を組み入れている船尾駆動ユニット１６が、船舶１０の船尾梁２０の後方に位置決めされ、エンジン（図示略）が船体１２の内側に位置決めされているとともに、エンジンからの出力シャフト２２が船舶の船尾からほぼ水平に突出して、船尾駆動ユニット１６へ動力が提供されるようになっている。この型の海洋用推進システムは、「船内／船外駆動装置」としても広く称されている。
【００１７】
船舶１０の出力シャフト２２は、ほぼ水平な軸の周りに回転する。出力シャフト２２の端部にはベベルギヤ２４が固定されている。出力シャフト２２の端部に画成されたベベルギヤ２４は、前進および後退ベベルギヤ２６，２８にそれぞれ噛み合っており、また、ドッグあるいは類似したクラッチ３０は、右ねじプロペラが嵌められているか左ねじプロペラが嵌められているかによって決まるが、矢印「Ａ」の方向へ移動して垂直な出力シャフト３２を前進ベベルギヤ２６に接続し、あるいは方向「Ｂ」へ移動して垂直な出力シャフト３２を後退ベベルギヤ２８に接続するように、またはその逆となるように作用する。垂直な出力シャフト３２の下部３４はさらに、当該下部３４の垂直軸の移動をプロペラ４２の駆動のためのほぼ水平なシャフト４０へ変換する一対の噛み合いベベルギヤ３６，３８に作動可能に接続されている。上記構成は、現行の海洋用船尾駆動システムの典型的なものであり、いくつかの分野において「ブラボー」駆動装置として広く知られている。
【００１８】
図６は、図１に示されたブラボー駆動装置の代わりに、「アルファ」型駆動装置とともに使用するシステムを図示している。この場合において、出力シャフト２２はベベルギヤ２４および２８を介して垂直の入力シャフト３２へ直接接続されており、また、この駆動装置の下端には、ドッグクラッチ１２０あるいは類似物を介して選択されたプロペラ４２に隣接して前進および後退ベベルギヤが設けられている。本発明は、船舶のための２速度駆動装置を提供するだけでなく現行の海洋用変速装置システムに勝る他のいくつかの利点をも提供する変速装置システムと制御手段とに関するものである。
【００１９】
図２は、単一摩擦クラッチ自動手動型変速装置１８の第１の例を示している。図１のブラボー駆動装置からの垂直な出力シャフト３２は、変速装置１８のための入力シャフト３２である。ベアリング３５がこのシャフト３２を支持している。入力シャフト３２の外部にはギヤ３６が取り付けられている。ギヤ３６は、入力シャフト３２に対して平行に延びている副シャフト４０に取り付けられたギヤ３８に噛み合っている。このギヤ３８は、シフト機構４２の位置によって決まるが、そのギヤ３８とともに回転する副シャフト４０に係合してもよく、あるいはその副シャフトの周りに自由に回転してもよい。このシフト機構４２は、図２では、４４で係合する位置と４６で係合解除する位置との２つの位置に示されている。このシフト機構４２は、油圧的に、機械的に、あるいは電気的に、または他の任意の適切な手段によって作動することができる。
【００２０】
副シャフト４０の下端にはワンウェイクラッチ４８が固定されており、また、このワンウェイクラッチ４８を取り囲むギヤ４９が、出力シャフト５２に固定されたギヤホイール５０に噛み合っている。このワンウェイクラッチ４８は、一方方向ではトルクを保持し、かつ、他方方向では自由に回転すし得る。
【００２１】
出力シャフト５２の上端と入力シャフト３２の下端との間には、これら２つのシャフトに係合する摩擦クラッチ５４が位置決めされている。このクラッチ５４が係合解除されると、動力が入力シャフト３２からギヤ３６，３８を介して副シャフト４０へ、そして、ワンウェイクラッチ４８を介して、ギヤ５０を介して出力ギヤシャフト５２へ伝達される。このことによって、低速操作におけるかあるいはいっそう大きいトルクが必要であるときに使用するための第１ギヤが提供される。このクラッチ５４が係合すると、動力が入力シャフト３２から出力シャフト５２へ直接伝達される。このことによって、船舶が巡航するときのための第２ギヤが提供される。ギヤ３６，３８が噛み合ったままであり、かつ、副シャフト４０の周りに取り付けられたギヤ４９が依然としてギヤ５０に噛み合ったままであれば、この状態で、副シャフト４０はシャフト５２よりもいっそうゆっくりと回転し、ワンウェイクラッチ４８はオーバーランする。
【００２２】
この変速装置１８に関しては、第１ギヤあるいは第２ギヤは、クラッチ５４の位置によって決まるが、常に係合している。このことによって、トルク遮断の問題が回避される。
【００２３】
出力シャフト５２をブラボー型駆動装置に関して逆に動かすためには、例えば副シャフト４０を入力シャフト３２から機械的に、油圧的にあるいは電気機械的に係合解除することにより、ワンウェイクラッチ４８を係合解除する機械的手段あるいは他の手段を設けることが必要である。記載された例では、この機能はシフト機構４２によって提供される。逆転時には、ギヤ５０はワンウェイクラッチ４８を介して副シャフト４０を駆動するが、ギヤ３８がシフト機構４２によって係合解除された状態で、副シャフト４０はギヤ３８に関してそのまま自由に回転し、係合されている両方の比のために変速装置のロックが防止されるようになっている。シフト機構４２は、この態様において第１ギヤ駆動トレインが逆に作動するのを防止することが必要であり、これによって、後退駆動力がクラッチ５４を介して入力シャフト５２から出力シャフト５４に伝えられ得るようになる。
【００２４】
図３に図示された制御システムは、この変速装置１８を制御するために提供されている。この制御システムには、さまざまなセンサーにつながれた電子制御ユニット（ＥＣＵ）６０が含まれている。このシステムには、入力シャフト３２および出力シャフト５２の速度をそれぞれ測定するセンサー６２および６４、ギヤの位置についての情報を提供するセンサー６８、エンジンのスロットル位置についての情報を提供するセンサー６６、およびこのシステムの油圧流体の温度に関する情報を提供するセンサー７０が含まれている。代わりに、この情報のいくつかは、共通の槽／エンジンＢＵＳあるいはＣＡＮ１００から収集することができる。
【００２５】
図３は、制御バルブを収容するバルブ本体８０と、以下でさらに詳しく説明されるようにクラッチの滑りの制御を行う電子油圧ソレノイド８２とをもまた示している。ソレノイド８２の位置はＥＣＵ６０にも送り込まれている。図３は、このシステムの油圧制御における油圧を維持するために使用される油圧ポンプ８４もまた図示しているが、この油圧供給源は、現行のポンプ、油圧ポンプあるいは別のものを介して外部から供給することができる。このシステムには、ギヤ係合状態の位置を感知する位置センサーもまた含まれている。
【００２６】
このクラッチ滑りのシステムは、２〜３ノット程度の極めて低い速度が望ましいドック入れ機能のためにも使用することができ、クラッチ滑りは、出力シャフトの過剰な回転速度を消散させて、スロットル速度を維持しながら船のいっそうゆっくりした移動を可能にする。この制御システムは、電子油圧ソレノイド８２へ送られた電気信号を介するピストン圧力の制御を通して出力速度を制御する。このシステムは、このシステムがボタン、レバー、無線操縦などのような任意の適切な入力部から、ドック入れ、トローリング、進水のエネルギーのようなもので作動するさまざまなモードについての電子的要求を受けることもできる。
【００２７】
ワンウェイクラッチ４８は、ローラークラッチ、スプラッグクラッチ、ラチェットクラッチあるいは類似物であってもよい。
【００２８】
この変速装置が、前進および後退ギヤの選択物がプロペラに隣接する出力シャフトの下端に設けられている図６の「アルファ」型船尾駆動装置とともに使用されるときには、ワンウェイクラッチ４８を係合解除するための手段についての要求は存在しない。図４および図５は、構成要素が同一の参照符号を共有する変速装置１８のそれらと同一であるそのような変速装置１８ａを図示している。重要な相違点はシフト機構４２のないことだけである。
【００２９】
この変速装置システムには、極めてコンパクトであって、単一摩擦クラッチだけが必要であるので、２つ以上の摩擦クラッチが組み入れられている変速装置システムと比べて減少した抗力が提供されるという利点がある。この変速装置についての初期設定には、第１ギヤあるいは低速ギヤに、通常取り付けられたクラッチとともにこの変速装置があるのが都合よく、その結果、このシステムが故障すると、船のオーナーはその船をより低い速度ではあるが自宅へ送り届けることが常に可能である。
【００３０】
図７は、海洋用変速装置のさらに別の例であり、この場合は単一摩擦クラッチ自動手動型変速装置１００を示している。先に説明した変速装置の場合と同じように、この変速装置もまた、船内／船外海洋用駆動装置の一部として示されている。
【００３１】
図示されていない船舶の出力シャフトは、ほぼ水平な軸の周りに回転するとともに、ベアリング１０３に取り付けられた変速装置の入力シャフト１０２と同軸であってこれを駆動させる。この海洋用変速装置の出力シャフト１０４は、ベアリング１０５に支持されており、また、入力シャフト１０２に対して平行であって入力シャフト１０２から間隔を置いて配置されている。
【００３２】
出力シャフト１０４の出力端部１０４ａに画成されたベベルギヤ１０６は、前進および後退ベベルギヤ１０８，１１０にそれぞれ噛み合っており、また、ドッグクラッチ１１２（あるいは類似した装置）は、右ねじプロペラが嵌められているか左ねじプロペラが嵌められているかによって決まるが、垂直方向へ移動して垂直な出力シャフト１１４を後退ベベルギヤ１１０かあるいは前進ベベルギヤ１０８かのいずれかに接続するように、またはその逆となるように作用する。
【００３３】
この海洋用船舶のプロペラの、前進あるいは後退の方向の選択は、この海洋用変速装置の出力の後にドッグクラッチ１１２によって実行され、それゆえ、海洋用変速装置の入力シャフトおよび出力シャフトは、常に同じ向きに回転し、また、変速装置１００は、入力シャフトあるいは出力シャフトを２つ以上の方向に回転させるように対処することを要求されない。
【００３４】
当分野において標準であるように、垂直な出力シャフト１１４の下部（図示略）が、垂直な出力シャフト１１４の垂直軸の移動をプロペラ駆動用水平シャフトのほぼ水平軸の移動に変換するさらに別の一対の噛み合いベベルギヤに作動可能に接続されている。
【００３５】
第１ギヤとしてのギヤホイール１２０が出力シャフト１１４に取り付けられ、これは次には、入力シャフト１０２に取り付けられたワンウェイクラッチを組み入れるギヤホイール１２２に噛み合っている。第２ギヤおよび関連クラッチ１２６のためのギヤホイール１２４が、第１ギヤ１２０に隣接する出力シャフトに、かつ、第１ギヤ１２０の、出力シャフト１０４の出力端部１０４ａとは反対側に取り付けられている。第２ギヤ１２４は、ワンウェイクラッチ１２２に隣接する入力シャフト１０２に取り付けられたギヤホイール１２８に噛み合っている。
【００３６】
クラッチ１２６が係合しないときには、それは海洋用船舶がクラッチ１２６の故障の場合に第１ギヤで進むことができるような初期設定状態であるが、入力シャフト１０２は、ドック入れおよび低速操作のために使用される第１ギヤ１２０を介して出力シャフト１０４を駆動する。ギヤが回転すると、第１クラッチパック１２６を横切って滑りが生じる。クラッチ１２６の主要部は出力シャフト１０４とともに回転する。
【００３７】
クラッチ１２６が係合すると、第２ギヤが係合し、かつ、クラッチ１２６と第２ギヤとが出力シャフト１０４とともに回る。第１ギヤ１２０は、第２ギヤ１２４と同じ速度、同じ角速度で回転させられ、また、ワンウェイクラッチ１２２はオーバーランする。
【００３８】
現行の海洋用変速装置とは対照的に、ギヤ比を２つのギヤホイールであるいは第１比および第２比の両方が変更される（第２ギヤ比が通常は１：１であっても）ときには４つのギヤホイールで単に置き換えることによって変更することは比較的簡単な事柄である、ということは認識される。
【００３９】
さらに別の利点は、この駆動装置が、２つの相異なるギヤを提供するためにはただ１つのクラッチだけを使用し、また、それゆえ、いっそうコンパクトであるということである。
【００４０】
この変速装置には、電子制御部１３０、油圧ポンプ１３２および先に説明された例に関して説明されたものと同じ型のセンサーを含む制御システムが組み入れられている。
【００４１】
図８には、図７に示されているものに類似した構成が示されているが、ただし、この構成では、第１ギヤホイール１２０および第２ギヤホイール１２４の相対位置は入力シャフト１０２および出力シャフト１０４において逆になっており、また、クラッチは出力シャフト１０４の出力端部に隣接して位置決めされている。この構成には、全体の変速装置が上部でいっそう短くされており、船舶に適用された場合、変速装置がスイミングプラットフォームを取り除くことができるということを保証するのに役立つという利点がある。図８では、図７の例と共通である構成要素には同じ参照符号が付けられている。
【００４２】
本発明の変速装置は、船尾駆動装置の状況において説明されており、また、とりわけ海洋用途のために適しているが、任意の乗物における変速装置システムの一部として使用することができるとともに、寸法および空間が重んじられる場合と海洋用船外機付きボートのようなコストおよび簡便さがとりわけ有利である場合とにとりわけ適している、ということは認識される。このシステムは、フォークリフトトラック、産業上の用途などのための２速度変速装置を提供するために特に適し得るということもまた予見される。
【００４３】
さらに、このシステムは、船内／船外海洋用推進システムの船尾駆動ユニットに組み入れられて説明されているが、このシステムはエンジンおよび変速装置システムがそのコンパクトな寸法と軽い重量とに起因して船尾梁の後方にすべて位置決めされている船外機付きボートシステムに組み入れることもできる、ということは認識される。このシステムは、エンジンとプロペラとの間におけるシャフト駆動、ｖ駆動および表面駆動の海洋用推進システムの変形例にもまた使用することができる。この変速装置は「ジェット駆動装置」用途でインペラを駆動するために使用することもできる。
【００４４】
広く説明されたように本発明の精神あるいは範囲から逸脱することなく特定の例に関して多数の変更および／または修正を本発明に行うことができるということは、当業者に明らかである。これらの例はそれゆえ、すべての点で例示的なものであって限定的なものではないとみなされる。
【図面の簡単な説明】
【００４５】
【図１】いくつかの製造業者によってブラボー駆動装置と広く称されている型の船尾駆動変速装置を含む船舶の船尾の模式図である。
【図２】本発明を具体化する第１の変速装置の模式図である。
【図３】重ね合わされた制御システムの備わった図２の変速装置を示している。
【図４】本発明を具体化する第２の変速装置の模式図である。
【図５】重ね合わされた制御システムの備わった図４の変速装置を示している。
【図６】いくつかの製造業者によってブラボー駆動装置と広く称されている型の船尾駆動変速装置を有する船舶の船尾の模式図である。
【図７】単一摩擦クラッチを有する２速度変速装置であって、出力ギヤがこの変速装置の出力部に近接して位置決めされている２速度変速装置の模式図である。
【図８】単一摩擦クラッチのある２速度変速装置であって、そのクラッチが出力部に近接して位置決めされている２速度変速装置を示している。
【手続補正３】
【補正対象書類名】図面
【補正対象項目名】図２
【補正方法】変更
【補正の内容】
【図２】
2006528310.tif 000001